(57)【要約】【課題】  異なる部屋の火災の有無を監視することができ、感知、警報の的確性を向上させることができるとともに、設置の自由度を広げる。【解決手段】  温度、煙または炎を感知する感知部３ａ、３ｂと、感知部３ａ、３ｂで感知した温度、煙または炎の感知信号を受け取って火災の有無を判断し、警報信号を発する判断・制御部１３とを備え、感知部３ａ、３ｂは、同一方向の二つの向き２４ａ、２４ｂの温度、煙または炎を感知可能に形成されてなり、個別住宅や集合住宅あるいはビル、店舗などの壁やこの壁の開口部の扉、クローゼット、収納庫や洗面化粧台などの付帯設備の扉、家具、什器などの扉に利用可能である。【選択図】              図１
2006011553.tif 000002
【特許請求の範囲】
【請求項１】
温度、煙、炎のうちの少なくとも一つを感知する感知部と、該感知部で感知した温度、煙、炎のうちの少なくとも一つの感知信号を受け取って火災の有無を判断し、警報信号を発する判断・制御部とを備え、前記感知部は、少なくとも二つの向きの温度、煙、炎を感知可能に形成されてなる火災感知器。
【請求項２】
請求項１において、前記感知部は、同一方向の二つの向きの温度、煙、炎を感知可能に形成されてなる火災感知器。
【発明の詳細な説明】
【技術分野】
【０００１】
本発明は、住宅やビルなどに設けられる火災感知器に関する。
【背景技術】
【０００２】
従来、火災による異常な温度上昇や煙あるいは炎を感知し、警報を発する火災感知器は、天井やその近くの壁に取り付けられることが多い。天井に設けられている電源コンセントに取り付けるもの（特許文献１、２）や天井パネルに取り付けるもの（特許文献３）などが知られている。
【特許文献１】実開平７−４３５３１号公報
【特許文献２】実開平７−５２１６号公報
【特許文献３】登録実用新案第３０２５８８３号公報
【発明の開示】
【発明が解決しようとする課題】
【０００３】
しかしながら、従来の火災感知器は、天井やその近くの壁に取り付けられるので、一つの部屋の火災の有無は監視できるが、他の部屋の火災の有無を同時に監視することはできなかった。また、取り付けに際して他の照明機器、非常照明機器、換気装置あるいは建具や収納庫などの付帯設備との関係から場所的、位置的な制約を受けるというおそれもあり、生活様式や間取りの多様化にともなって十分応えることが困難であった。
【０００４】
また、温度や煙あるいは炎の感知器、警報器を複数直接天井やその近くの壁に取り付けることは、他の照明機器、非常照明機器、換気装置などの取り付けと相俟て施工が煩雑であるとともに、外観上も必ずしも良いとは言えなかった。
【０００５】
本発明の課題は、異なる部屋の火災の有無を監視することができ、感知、警報の的確性を向上させることができるとともに、設置の自由度を広げることである。
【課題を解決するための手段】
【０００６】
上記課題を解決するため、本発明は、温度、煙、炎のうちの少なくとも一つを感知する感知部と、該感知部で感知した温度、煙、炎のうちの少なくとも一つの感知信号を受け取って火災の有無を判断し、警報信号を発する判断・制御部とを備え、前記感知部は、少なくとも二つの向きの温度、煙、炎を感知可能に形成されてなることを特徴とする。
【０００７】
このようにすることにより、感知部は、少なくとも二つの向きの温度、煙、炎を感知可能に形成されるので、二つの向きの方向にある二つの部屋（または室）の温度、煙、炎を感知することができる。二つの部屋の温度、煙、炎を感知することができるので、感知の見逃しや警報の遅れなどがほとんどなくなり、感知、警報の的確性を向上させることができる。
【０００８】
さらに、前記感知部は、同一方向の二つの向きの温度、煙、炎を感知可能に形成されると良い。感知部が同一方向の二つの向きの温度、煙、炎を感知可能に形成されることにより、隣同士にある部屋の温度、煙または炎を感知することができ、感知、警報の的確性を向上させるとともに、設置の自由度を広げることができる。また、他の照明機器、非常照明装置、換気装置などの取り付けにかかわらず取り付けることができ取り付けの施工性を向上させることができる。
【０００９】
次に本発明を構成する各要件についてさらに詳しく説明する。本発明の火災感知器は、個別住宅や集合住宅あるいはビル、店舗などの部屋の温度、煙、炎を感知するものである。火災感知器の設置箇所としては、天井に設けても良いが、二つの部屋を仕切る壁、開口部の扉やクローゼット（収納庫）、玄関収納庫、その他の収納庫、あるいは洗面化粧台などの住宅、建物の付帯設備に使用する扉、家具、什器など扉に設けることができる。
【００１０】
また、火災感知器は、上記開口部、付帯設備または家具、什器などの扉体や扉枠に設ける他に、付帯設備、家具、什器の場合には、その側壁に設けても良い。火災感知器は、天井に近い位置に設けると良い。火災感知器と天井との距離は、凡そ５００ｍｍ以内に取り付けると良い。感知器と天井との距離が凡そ５００ｍｍ以内であれば、煙や炎を感知しやすい。なお、感知器の傍に警報器を併設または感知器と一体的に内蔵しても良い。
【００１１】
感知部は、温度、煙、炎のうちの少なくとも一つを感知する部分で、公知の感知用素子を利用することができる。感知部は、温度、煙、炎のうちの一つ、または温度と煙、温度と炎あるいは煙と炎などの二つあるいは温度、煙および炎の三つを同時に感知しても良い。
【００１２】
温度を感知する感知部は、火災、その他の原因によって感知部周辺の温度が一定温度以上に高くなった場合の温度を感知し、たとえば熱による空気の膨張や熱によるバイメタルの変形を利用して感知するものでも良い。煙を感知する感知部は、火災その他の原因によって発生する煙（燃焼生成物）を、たとえば光電管などを利用して感知する。炎を感知する感知部は、たとえば炎から放射される赤外線または紫外線を感知するものである。
【００１３】
感知部が感知する二つの向きは、同一方向の二つの向きを含み、二つの向きの間の角度は任意である。二つの向きの間の角度が１８０度の場合は「同一方向の二つの向き」に相当する。
【００１４】
判断・制御部は、感知部で感知した感知信号を受けて火災の有無を判断し、かつ火災と判断した場合は警報信号を発する部分である。
【発明の効果】
【００１５】
本発明によれば、二つの向きの異なる部屋の火災の有無を監視することができ、感知、警報の的確性を向上させることができるとともに、設置の自由度を広げる。
【発明を実施するための最良の形態】
【００１６】
以下、本発明に係る火災感知器の実施例を図面に基づいて詳細に説明する。なお、図１〜７において、同一または同等部分には同一符号を付けて示す。
【実施例１】
【００１７】
図１は、本発明に係る火災感知器の第１実施例を示す概略断面図である。第１実施例の火災感知器１は、たとえば住宅またはビル、店舗などの部屋（または室）の扉や壁、あるいはクローゼット（収納庫）、玄関収納庫、その他の収納庫、洗面化粧台などの住宅、建物の付帯設備に使用する扉あるいは家具、什器などの扉に設けることができる。
【００１８】
さらに、火災感知器は、上記開口部や付帯設備または家具、什器などの扉や扉枠に設ける他に、付帯設備、家具、什器の場合には、その側壁に設けても良い。火災感知器は、天井に近い位置に設け、火災感知器と天井との距離は、凡そ５００ｍｍ以内に取り付ける。火災感知器と天井との距離が凡そ５００ｍｍ以内であれば、煙や炎を感知しやすい。なお、火災感知器の傍に警報器を併設または火災感知器と一体的に設けても良い。
【００１９】
火災感知器１は、温度、煙または炎を感知する二つの感知部３ａ、３ｂと、この感知部３ａ、３ｂで感知した温度、煙または炎の感知信号を受け取って火災の有無を判断し、警報信号を発する判断・制御部１３とを備える。感知部３ａ、３ｂは、同一方向２３の二つの向き２４ａ、２４ｂのそれぞれの空間の温度、煙、炎を感知可能に形成される。
【００２０】
図１において火災感知器１は、左右対称で二つの感知部３ａ、３ｂと、この間に判断・制御部１３を有する。感知部３ａ、３ｂと判断・制御部１３は、信号線１６で電気的に連結される。また、判断・制御部１３と受信機は、信号線２０で電気的に連結される。感知部３ａ、３ｂおよび判断・制御部１３はケース２５の中に収められる。各感知部３ａ、３ｂの前面にある開口部２６は、一つの孔として図示されているが、複数の孔から形成されても良い。赤外線や紫外線などを感知する感知部の場合、これらの孔にはサファイアガラスを設けても良い。
【００２１】
感知部３ａ、３ｂは、温度、煙または炎を感知する部分で、公知の感知用素子を利用することができる。さらに、温度を感知する場合の感知部３ａ、３ｂは、火災、その他の原因によって感知部周辺の温度が一定温度以上に高くなった場合の温度を感知し、たとえば熱による空気の膨張や熱によるバイメタルの変形を利用して感知する。
【００２２】
煙を感知する場合の感知部３ａ、３ｂは、火災その他の原因によって発生する煙（燃焼生成物）を光電管などを利用して感知する。炎を感知する場合の感知部３ａ、３ｂは、たとえば炎から放射される赤外線または紫外線を感知する。
【００２３】
図２は、図１に示す火災感知器１のブロック線図であり、火災感知器１内の信号の流れを図示したものである。部屋の温度、煙または炎は各感知部３ａ、３ｂで感知され電気的信号に変換される。炎を検知する場合のように、炎から放射される赤外線や紫外線を感知する場合は、感知部の一部として光学フィルターを設けると良い。
【００２４】
感知部３ａ、３ｂで感知された感知信号５は、増幅部１１により増幅されて増幅感知信号１２となる。判断・制御部１３では増幅部１１からの増幅感知信号１２の大きさ、種類、比率などから予め決められたアルゴリズムにより演算し、火災であるかどうかを判断する。火災と判断された場合には警報信号１５を発する。警報信号１５は、出力部１７に入力され、出力部１７から増幅警報信号１８として受信機に発せられる。受信機では増幅警報信号１８に基いて所要の箇所に警報を発する。
【００２５】
定電圧回路部１９は、火災感知器１の各要素に定電圧電力を供給する。また、本火災感知器１は、試験回路部２１を備えており、判断・制御部１３の指令に基いて試験回路部２１は発生部２２に温度上昇、煙あるいは炎などを発生させて感知部３ａ、３ｂを作動させ、火災感知器１が正常に機能するかどうかを判断する。
【００２６】
以上の構造を有する火災感知器１の作用は、次のようである。すなわち、図１、２において、感知部３ａ、３ｂは、同一方向２３の二つの向き２４ａ、２４ｂの温度、煙、炎を感知可能に形成されるので、同一方向の二つの向き２４ａ、２４ｂの方向にある二つの部屋の温度、煙、炎を感知することができる。二つの部屋の温度、煙、炎を感知することができるので、感知の見逃しや警報の遅れなどがほとんどなくなり、感知、警報の的確性を向上させることができる。
【００２７】
また、壁や扉などに設置することにより隣接する二つの部屋の温度、煙、炎を同時にまたは別々に感知することができるので、設置の自由度を広げることができる。また、他の照明機器、非常照明装置、換気装置などの取り付けにかかわらず取り付けることができ取り付けの施工性を向上させることもできる。
【００２８】
図３は、図１、２に示す火災感知器１を組み込んだ扉２７の正面図である。扉２７は、主に個別住宅や集合住宅あるいはビル、店舗などの開口部２９に設けられる。開口部２９は、天井５４と床５５との間の壁５６を貫通するように形成され、扉２７は、この開口部２９に三方枠の扉枠４７を設け、さらに扉枠４７の縦枠に三つの丁番４１を介して扉体３１を水平面内で回転可能に取り付けたものである。
【００２９】
扉体３１は、框組み構造で、左右縦框３３ａ、３３ｂおよび上下横框３４ａ、３４ｂと、これら框組みされた内側開口部に設けられた鏡板３６とを有する。鏡板３６の中央にはガラス板３７が設けられる。また、扉体３１の正面視左側の縦框３３ａには取手３９が設けられる。扉体３１の主材質は、木質系材料とガラス板である。なお、図３において、符号５８は幅木、符号５９は回り縁である。
【００３０】
図４は、図３におけるＡ−Ａ線断面図である。火災感知器１は、扉体の上横框３４ａ内部に設けられ、扉２７の両側に位置する部屋（空間）５２ａ、５２ｂの温度、煙または炎を感知可能なように形成される。部屋５２ａまたは部屋５２ｂは、たとえば居間、寝室、台所、食堂、便所、脱衣所、洗面所、玄関などである。なお、図４において、符号５０は戸当りである。
【００３１】
火災感知器１が扉２７の両側の二つ部屋５２ａ、５２ｂの温度、煙または炎を感知可能にするために、上横框３４ａの内部に内蔵された火災感知器１は、扉体３１の厚み方向（図４の左右方向）中央面４４に対して左右面対称になるように形成され、かつ内蔵される。
【００３２】
さらに、火災感知器１が部屋５２ａ、５２ｂの温度、煙、炎などを感知できるようにするために、火災感知器１の感知部に対応する扉体３１の表裏面に、一つまたは複数の孔４３を設ける。感知部は、この一つまたは複数の孔４３から熱や煙または炎の赤外線、紫外線などを感知する。また、火災感知器１は警報器を併設または内蔵しても良い。なお、図１において、出力部１７、定電圧回路部１９、試験回路部２１などは省略されている。
【００３３】
火災感知器１は、扉２７の内部に設けられ、表裏面方向（左右方向）に対して対称に設けられるので、部屋５２ａと部屋５２ｂの温度、煙または炎を同時にまたは別々に監視することができ、感知、警報の的確性を向上させることができる。
【００３４】
また、火災感知器１は、扉２７に取り付けられるので、設置の自由度を広げることができる。さらに、他の照明機器、非常照明装置、換気装置などの取り付けにかかわらず取り付けることができ、取り付けの施工性を向上させる。また、扉体の内部に設ける火災感知器１は、目立たず扉としての意匠性を損なうこともない。
【実施例２】
【００３５】
図５は、本発明に係る火災感知器の第２実施例を示す概略断面図である。火災感知器１は、温度、煙または炎を感知する感知部３ａ、３ｂと、感知部３ａ、３ｂが感知した感知信号を受けて火災であるかどうかを判断し、警報信号を送る判断・制御部１３と、感知部３ａ、３ｂと判断・制御部１３とを連結する信号線１６と、判断・制御部１３から引き出され受信機に連結される信号線２０とを有する。
【００３６】
さらに、火災感知器１は、これら感知部３ａ、３ｂ、判断・制御部１３および信号線１６を収納するケース２５ａ、２５ｂを有する。ケース２５ａは、断面略Ｔ字状に形成され、一方向線上に二つの筒状袖部を有する。ケース２５ｂは、その後端側がケース２５ａの筒状袖部に摺動可能に嵌合し、感知部３ａ、３ｂを収納する先端側が複数の孔を有する端面となっている。
【００３７】
第２実施例の火災感知器１は、ケース２５ａとケース２５ｂが伸縮可能に形成されることにより、扉、扉枠あるいは壁などの厚み（図７における厚みＷ）が数種類あっても一つの火災感知器で対応できる。なお、図５におけるその他の構造とその作用は、図１に示した火災感知器と同じであるので、その説明を省略する。
【００３８】
図６は、図５に示す火災感知器１を組み込んだ扉２７の正面図である。扉２７は、火災感知器１を扉枠４７の上枠４８に設けた場合である。火災感知器１は、上枠４８の正面視右側寄りに設けられる。
【００３９】
図７は、図６におけるＢ−Ｂ線断面図である。扉２７は、部屋５２ａと部屋５２ｂとを仕切っているが、図３に示した扉で説明したように、部屋５２ａ、５２ｂは、たとえば居間、寝室、台所、食堂、玄関などである。第２実施例の火災感知器１は、扉枠の上枠４８に内蔵されている。
【００４０】
さらに、火災感知器１は、扉の両側の二つ部屋５２ａ、５２ｂの温度、煙または炎を感知可能にするために、扉枠４７の厚み方向（図７の左右方向）中央面４４に対して左右面対称になるように設けられる。
【００４１】
第２実施例の火災感知器１を利用した扉２７は、温度、煙または炎を感知する火災感知器１を扉枠の上枠４８の内部に内蔵するので火災感知器１を天井近くに設置でき、かつ火災感知器１の取り付けの自由度を広げることができる。さらに、他の照明機器、非常照明装置、換気装置などの取り付けにかかわらず取り付けることができ取り付けの施工性を向上させることができる。
【００４２】
また、火災感知器１は目立たず扉としての意匠を損なうこともない。さらに、一つの火災感知器１で扉の両側の二つの部屋５２ａ、５２ｂの監視を行うことができ、感知、警報の的確性を向上させることができる。なお、図６、７におけるその他の構造と作用は、図３、４に示した扉と同じであるので、その説明を省略する。
【００４３】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００４４】
本発明の火災感知器は、個別住宅や集合住宅あるいはビル、店舗などの壁やこの壁の開口部の扉、クローゼット、収納庫や洗面化粧台などの付帯設備の扉、家具、什器などの扉に利用可能である。
【図面の簡単な説明】
【００４５】
【図１】本発明に係る火災感知器の第１実施例を示す概略断面図である。
【図２】図１に示す火災感知器のブロック線図である。
【図３】図１、２に示す火災感知器を組み込んだ扉の正面図である。
【図４】図３におけるＡ−Ａ線断面図である。
【図５】本発明に係る火災感知器の第２実施例を示す概略断面図である。
【図６】図５に示す火災感知器を組み込んだ扉の正面図である。
【図７】図６におけるＢ−Ｂ線断面図である。
【符号の説明】
【００４６】
１  火災感知器
３ａ、３ｂ  感知部
５  感知信号
１１  増幅部
１２  増幅感知信号
１３  判断・制御部
１５  警報信号
１７  出力部
１８  増幅警報信号
１９  定電圧回路部
２１  試験回路部
２２  発生部
２３  同一方向
２４ａ、２４ｂ  向き
【図１】
2006011553.tif 000003
【図２】
2006011553.tif 000004
【図３】
2006011553.tif 000005
【図４】
2006011553.tif 000006
【図５】
2006011553.tif 000007
【図６】
2006011553.tif 000008
【図７】
2006011553.tif 000009